(57)【要約】【課題】  分包袋の表示部に表示する内容についての情報を入力する入力画面において、用法等の入力内容と表示部に表示される内容とが一見して把握することができる薬剤分包装置、薬剤分包装置のための制御装置および薬剤分包装置を制御するための制御プログラムを提供する。【解決手段】  オペレータが用法コード入力欄３３ｃに用法コードを入力すると、制御手段３４は、入力手段３２により用法コード入力欄３３ｃに入力された情報に基づいて、対応する表示内容（用法画像および用法ライン）が記憶手段３１から読み出され、当該表示内容が入力画面上の画像表示欄３３ｅに表示されるように制御すべく機能する。【選択図】          図２
2007029515.tif 000002
【特許請求の範囲】
【請求項１】
分包シートをヒートシールすることにより形成された分包袋ごとに表示部を設ける表示部形成手段を有する薬剤分包装置のための制御装置であって、
表示部に表示する内容を記憶する記憶手段、
表示部に表示する内容についての情報を入力する入力手段、
前記入力を行う際の入力画面を表示する入力画面表示手段、および
入力手段から入力された情報に基づいて、対応する表示内容を前記記憶手段から読み出し、当該表示内容を前記入力画面上に表示すべく制御する制御手段を具備することを特徴とする薬剤分包装置のための制御装置。
【請求項２】
前記表示部に表示する内容は、分包袋に封入された薬剤の用法を示す画像であることを特徴とする請求項１記載の薬剤分包装置のための制御装置。
【請求項３】
前記表示部に表示する内容は、薬剤の用法ごとに異なる線分であることを特徴とする請求項１または２記載の薬剤分包装置のための制御装置。
【請求項４】
前記入力手段から入力される情報は、前記表示部に表示する内容ごとに予め定められたコードであることを特徴とする請求項１〜３のいずれかに記載の薬剤分包装置のための制御装置。
【請求項５】
請求項１〜４のいずれかに記載の薬剤分包装置のための制御装置を具備することを特徴とする薬剤分包装置。
【請求項６】
分包シートをヒートシールすることにより形成された分包袋ごとに表示部を設ける表示部形成手段を有する薬剤分包装置を制御するための制御プログラムであって、
表示部に表示する内容を記憶する記憶手段、表示部に表示する内容についての情報を入力する入力手段、および前記入力を行う際の入力画面を表示する入力画面表示手段を具備するコンピュータを
入力手段から表示部に表示する内容についての情報が入力された際、当該入力された情報に基づいて、対応する表示内容を前記記憶手段から読み出し、当該表示内容を前記入力画面上に表示すべく制御する制御手段として機能させることを特徴とする薬剤分包装置を制御するための制御プログラム。
【発明の詳細な説明】
【技術分野】
【０００１】
本発明は、分包シートをヒートシールすることにより形成された分包袋ごとに表示部を設ける表示部形成手段を有する薬剤分包装置、薬剤分包装置のための制御装置および薬剤分包装置を制御するための制御プログラムに関する。
【背景技術】
【０００２】
薬剤を薬剤分包装置にて分包する際に、各分包袋に当該分包袋に封入された薬剤の用法等に関する内容を印刷等により表示する表示部を有する構成が公知である（例えば、特許文献１）。
【特許文献１】特開２００１−５０８号公報
【発明の開示】
【発明が解決しようとする課題】
【０００３】
しかし、このような従来の構成においては、当該表示部に表示する内容についての情報を入力する入力画面において、用法と表示部に表示される内容とが一見して把握し難い問題があった。
【０００４】
例えば、１つの用法に対して表示部に表示される内容の表示態様が複数ある場合（用法を示す画像および用法ごとに異なる線分等）、実際に印刷される表示部が一見して把握し難い。また、表示部に表示される内容のデータは、所定のコード番号と関連付けて記憶される場合があり、この場合、入力したコード番号からはその用法を確認することは困難であり、オペレータが自らの記憶を頼りに入力する必要が生じ得る。
【０００５】
本発明は、かかる従来技術の問題点を解決するべくなされたもので、分包袋の表示部に表示する内容についての情報を入力する入力画面において、用法等の入力内容と表示部に表示される内容とが一見して把握することができる薬剤分包装置、薬剤分包装置のための制御装置および薬剤分包装置を制御するための制御プログラムを提供することを目的とする。
【課題を解決するための手段】
【０００６】
本発明に係る薬剤分包装置のための制御装置は、分包シートをヒートシールすることにより形成された分包袋ごとに表示部を設ける表示部形成手段を有する薬剤分包装置のための制御装置であって、表示部に表示する内容を記憶する記憶手段、表示部に表示する内容についての情報を入力する入力手段、前記入力を行う際の入力画面を表示する入力画面表示手段、および入力手段から入力された情報に基づいて、対応する表示内容を前記記憶手段から読み出し、当該表示内容を前記入力画面上に表示すべく制御する制御手段を具備することを特徴とするものである。
【０００７】
上記構成の薬剤分包装置のための制御装置によれば、記憶手段に分包袋に設けられる表示部に表示する内容が記憶されている。また、入力手段により、当該表示する内容についての情報が入力される。この際、入力画面表示手段には入力画面が表示される。制御手段により、入力手段により入力された情報に基づいて、対応する表示内容が記憶手段から読み出され、当該表示内容が前記入力画面上に表示されるように制御される。
【０００８】
このように、分包袋の表示部に表示する内容についての情報を入力する入力画面上に、分包袋の表示部に実際に表示される内容が表示されることにより、当該入力画面において、入力内容と表示部に表示される内容とを一見して把握することができる。
【０００９】
好ましくは、前記表示部に表示する内容は、分包袋に封入された薬剤の用法を示す画像であるように構成される。
【００１０】
また、好ましくは、前記表示部に表示する内容は、薬剤の用法ごとに異なる線分であるように構成される。
【００１１】
好ましくは、前記入力手段から入力される情報は、前記表示部に表示する内容ごとに予め定められたコードであるように構成される。
【００１２】
この場合、表示する内容ごと（例えば用法ごと）に異なるコード（例えば、複数桁からなる数列等）が予め対応付けられており、オペレータがコードを入力することにより、表示する内容を入力する。このとき、当該コードが如何なる内容を示すのかはコードを一見しただけでは分からない。また、オペレータが思い違いをして表示させたい内容と異なるコードを入力する場合もあり得る。したがって、コードが入力された際、対応する表示内容が入力画面に表示されることにより、オペレータが正しくコードを入力できたかどうかを容易に確認することができる。
【００１３】
また、本発明に係る薬剤分包装置は、上記構成の薬剤分包装置のための制御装置を具備することを特徴とするものである。
【００１４】
また、本発明に係る薬剤分包装置を制御するための制御プログラムは、分包シートをヒートシールすることにより形成された分包袋ごとに表示部を設ける表示部形成手段を有する薬剤分包装置を制御するための制御プログラムであって、表示部に表示する内容を記憶する記憶手段、表示部に表示する内容についての情報を入力する入力手段、および前記入力を行う際の入力画面を表示する入力画面表示手段を具備するコンピュータを入力手段から表示部に表示する内容についての情報が入力された際、当該入力された情報に基づいて、対応する表示内容を前記記憶手段から読み出し、当該表示内容を前記入力画面上に表示すべく制御する制御手段として機能させることを特徴とするものである。
【００１５】
上記構成の制御プログラムにおいても、制御手段として機能するコンピュータにより、入力手段により入力された情報に基づいて、対応する表示内容が記憶手段から読み出され、当該表示内容が前記入力画面上に表示されるように制御される。
【００１６】
このように、分包袋の表示部に表示する内容についての情報を入力する入力画面上に、分包袋の表示部に実際に表示される内容が表示されることにより、当該入力画面において、入力内容と表示部に表示される内容とを一見して把握することができる。
【発明の効果】
【００１７】
本発明に係る薬剤分包装置、薬剤分包装置の制御装置および薬剤分包装置を制御するための制御プログラムによれば、分包袋の表示部に表示する内容についての情報を入力する入力画面上に、分包袋の表示部に実際に表示される内容が表示されることにより、当該入力画面において、入力内容と表示部に表示される内容とを一見して把握することができる。
【発明を実施するための最良の形態】
【００１８】
以下、添付図面を参照しつつ、本発明を実施するための最良の形態について説明する。図１は本発明の一実施形態に係る薬剤分包装置の制御装置についての概念図であり、図２は図１の制御装置の入力画面表示手段に表示される入力画面の例を示す図であり、図３は図１の薬剤分包装置により分包された分包シートの例を示す図である。
【００１９】
本実施形態に係る薬剤分包装置の制御装置３は、薬剤分包装置２により分包シート１がヒートシールされて形成された分包袋１０ごとに、図３に示すような表示部１１を設けるためのプリンタ等の表示部形成手段２０を制御する装置である。当該制御装置３は、図１に示すように、表示部１１に表示する内容を記憶する記憶手段３１、表示部１１に表示する内容についての情報を入力する入力手段３２、前記入力を行う際の入力画面を表示する入力画面表示手段３３、および入力手段３２から入力された情報に基づいて、対応する表示内容を前記記憶手段３１から読み出し、当該表示内容を前記入力画面上に表示すべく制御する制御手段３４を具備することを特徴とするものである。本実施形態においては、さらに、読み込んだデータを一時記憶するメモリ３６および制御装置３にて生成された制御命令（制御信号）を薬剤分包装置２に伝達する出力手段３５を有しており、各構成（３１〜３６）が信号バス３７により相互に接続され、データの受け渡しが可能となっている。
【００２０】
記憶手段３１は、ハードディスクおよび／またはＣＤ−ＲＯＭドライブ等の外部記憶手段により実現可能であり、薬剤のデータ、用法データ、処方箋データ、患者データ等が記憶される。また、記憶手段３１には、薬剤分包装置の制御プログラムが記憶される。
【００２１】
入力手段３２は、キーボード、マウス、タッチパネル等の種々の入力手段を採用可能である。入力画面表示手段３３は、液晶モニタ等のモニタや入力手段３２と兼用のタッチパネル等の種々の画像表示手段を採用可能である。
【００２２】
制御手段３４は、ＣＰＵ等により実現され、上記制御プログラムに従い、入力手段３２からの入力に応じて薬剤分包装置２の表示部形成手段２０への制御命令を作成すべく機能する。出力手段３５は、Ｉ／Ｏインターフェイスにより有線または無線により薬剤分包装置２と接続する構成としてもよいし、制御信号をフレキシブルディスクドライブ等に記憶させ、当該制御信号が記憶されたフレキシブルディスクを薬剤分包装置のフレキシブルディスクドライブに挿入することにより、制御命令を伝えることとしてもよい。
【００２３】
以上のように、本実施形態の制御装置３は、パーソナルコンピュータ等の一般的なコンピュータにより実現できる。また、制御装置３を薬剤分包装置２内に組み込んでもよいし、専用の制御装置を薬剤分包装置に接続することにより実現することも可能である。さらに、制御装置３を処方箋（データ）等の登録、管理、発行等を行うための調剤支援システムの一構成として組み込むこととしてもよい。
【００２４】
ここで、本実施形態の薬剤分包装置のための制御装置３の具体的な動作について説明する。まず、記憶手段３１に分包袋１０に設けられる表示部１１に表示する内容が記憶されている。本実施形態においては、薬剤の用法（いつ服用するのか、何回服用するのか等）についてのデータおよび当該用法に対応する画像（用法画像）および用法ごとに異なる線分（用法ライン）が対応付けられて用法データとして記憶される。当該用法データは、用法画像および／または用法ラインごとに異なるコード（複数桁からなる数列等）が付されている。
【００２５】
オペレータは、入力手段３２から、当該表示する内容についての情報を入力する。この際、図２に示すような入力画面表示手段３３には入力画面が表示される。本実施形態においては、処方を行う患者の識別ＩＤ入力欄３３ａおよび氏名入力欄３３ｂ、用法コード入力欄３３ｃ、用法入力／表示欄３３ｄ、画像表示欄３３ｅ等が表示される。
【００２６】
なお、本発明における入力画面は、処方箋入力画面と同じ画面上に形成してもよいし、処方箋入力画面と画面切り替え可能に構成してもよいし、別途の入力（登録）画面として構成してもよい。
【００２７】
オペレータが用法コード入力欄３３ｃに用法コードを入力すると、制御手段３４は、入力手段３２により用法コード入力欄３３ｃに入力された情報に基づいて、対応する表示内容（用法画像および用法ライン）が記憶手段３１から読み出され、当該表示内容が入力画面上の画像表示欄３３ｅに表示されるように制御すべく機能する。
【００２８】
コード入力に際しては、当該コードが如何なる内容を示すのかはコードを一見しただけでは分からない。また、オペレータが思い違いをして表示させたい内容と異なるコードを入力する場合もあり得る。したがって、コードが入力された際、対応する表示内容が入力画面の画像表示欄３３ｅに表示されることにより、オペレータが正しくコードを入力できたかどうかを容易に確認することができる。
【００２９】
本実施形態においては、これに併せて該当する用法が用法入力／表示欄３３ｄに表示される。なお、用法入力／表示欄３３ｄに用法を直接入力することによって画像表示欄３３ｅに対応する表示内容を表示可能に構成することとしてもよい。また、本実施形態においては、画像表示欄３３ｅに用法画像と用法ラインとが並列に表示されているが、いずれか一方のみを表示することとしてもよいし、切り替えて表示可能に構成してもよいし、交互に表示することとしてもよい。また、画像表示欄３３ｅに表示される用法画像、用法ライン等の表示内容は、実際に分包袋１０の表示部１１に表示（例えば印刷等）されるもの（例えば、ビットマップ画像ファイル等）と完全に一致しなくてもよい。つまり、画像表示欄３３ｅに表示される表示内容と分包袋１０の表示部１１に実際に表示される表示内容とが１対１で対応していればよく、例えば、画像サイズを縮小したサムネイル画像でもよいし、より簡略化した模式画像のようなものでもよい。
【００３０】
また、入力するコードにより同じ用法であっても分包袋１０の表示欄１１に表示させる内容を変える（例えば、コード番号１００１においては、朝食後の用法に対応する用法画像および用法ラインを表示すべく設定されるが、コード番号１１０１においては、前記用法画像のみを表示すべく設定される等）ようにしてもよい。あるいは、同じコードで異なる表示態様を可能とする構成（例えば、入力画面上に表示されたチェックボックスまたはボタン等をクリック等することにより、用法画像のみ表示する態様、用法ラインのみ表示する態様、またはいずれも表示する態様を切り替える等）としてもよい。
【００３１】
このように、入力画面にて設定された内容に基づいて制御命令（制御信号）が生成され、出力手段３５から薬剤分包装置２の表示部形成手段２０に当該制御命令が伝達される。表示部形成手段２０は、制御装置３からの制御命令を受けて、薬剤分包装置２が分包シート１に薬剤を投入しヒートシール等することにより分包袋１０を形成する際に、当該形成される分包袋１０の所定箇所に表示部１１を設ける。具体的には、図３に示すように、所定箇所に入力画面にて設定された表示内容（用法画像および／または用法ライン）を印刷等することにより、分包袋２に表示部１１が形成される。
【００３２】
以上のように、分包袋１０の表示部１１に表示する内容についての情報を入力する入力画面上に、分包袋１０の表示部１１に実際に表示される内容が表示されることにより、当該入力画面において、入力内容と表示部１１に表示される内容とを一見して把握することができる。
【００３３】
なお、上記のような画像表示欄３３ｅを有する入力画面は、分包袋１０を収容する薬袋に処方等を表示（印刷）させる際の入力画面に対しても適用可能である。すなわち、本発明を薬袋の表示部を形成する制御装置として適用することも可能である。
【図面の簡単な説明】
【００３４】
【図１】本発明の一実施形態に係る薬剤分包装置の制御装置についての概念図である。
【図２】図１の制御装置の入力画面表示手段に表示される入力画面の例を示す図である。
【図３】図１の薬剤分包装置により分包された分包シートの例を示す図である。
【符号の説明】
【００３５】
１  分包シート
１０  分包袋
１１  表示部
２  薬剤分包装置
２０  表示部形成手段
３  制御装置
３１  記憶手段
３２  入力手段
３３  入力画面表示手段
３４  制御手段
【図１】
2007029515.tif 000003
【図２】
2007029515.tif 000004
【図３】
2007029515.tif 000005